(57)【特許請求の範囲】
【請求項１】
患者の位置合わせ用の支持体（２）と額受け（９）とを備える歯科用レントゲン機器であって、前記支持体（２）には水平に揺動可能な支持アーム（７）が取付けられ、前記額受け（９）は前記支持アーム（７）に取付けられ、かつ前記支持アーム（７）が旋回ヒンジ（８）を具備し、前記旋回ヒンジ（８）が、前記支持アーム（７）を固定部（７．１）と揺動アーム（７．２）とに区分し、前記揺動アーム（７．２）を旋回させ、前記支持体（２）から離隔し、患者位置（１４）の近傍の第１の側方領域（Ｉ）に取付けられることを特徴とするレントゲン機器。
【請求項２】
前記支持体（２）が高さ調整可能であり、前記支持体（２）にはｘ線放射装置（５）と受像機（６）とが取付けられることを特徴とする請求項１に記載のレントゲン機器。
【請求項３】
前記支持アーム（７）の前記揺動アーム（７．２）が、撮影位置で円弧上に前記患者位置（１４）の周囲を巡回し、前記第１の側方領域（Ｉ）と、前記第１の側方領域（Ｉ）に対向する患者位置（１４）の第２の側方領域（ＩＩＩ）との間の中間領域（ＩＩ）に届くことを特徴とする請求項１または２に記載のレントゲン機器。
【請求項４】
前記支持アーム（７）が前記第１の側方領域（Ｉ）に対向する患者位置（１４）の第２の側方領域（ＩＩＩ）の前で終端し、前記支持アーム（７）の一部が、前記患者位置（１４）に対して離れて配置された入口位置（７．２’）に取付けられた前記揺動アーム（７．２）を形成することを特徴とする請求項１乃至３に記載のレントゲン機器。
【請求項５】
前記支持アーム（７）にバイトブロック（１０）が取付けられることを特徴とする請求項１乃至４の一項に記載のレントゲン機器。
【請求項６】
前記旋回ヒンジ（８）がロック機構を具備することを特徴とする請求項１乃至５の一項に記載のレントゲン機器。
【請求項７】
前記ロック機構は、揺動レバー（２０）が前記支持アーム（７）の撮影位置内で摩擦結合または形状結合を生ずるように、前記支持アーム（７）にて前記揺動レバー（２０）と相互作用する係止手段（１９）を具備することを特徴とする請求項６に記載のレントゲン機器。
【請求項８】
前記支持アーム（７）が、前記摩擦結合を解除するための解錠装置を具備することを特徴とする請求項６または７に記載のレントゲン機器。
【請求項９】
前記解錠装置が、前記支持アーム（７）の端部に取付けられた回転つまみ（１１）を具備することを特徴とする請求項８に記載のレントゲン機器。
【請求項１０】
前記解錠装置が、前記揺動レバー（２０）の解錠部への伝動手段を具備することを特徴とする請求項９に記載のレントゲン機器。
【請求項１１】
前記伝動手段がシャフト（１８）であり、前記解錠部が偏心輪（２１）である請求項１０に記載のレントゲン機器。
【請求項１２】
前記シャフト（１８）上に補足的に、前記額受け（９）を揺動させるために前記額受け（９）用の少なくとも１つのガイド手段（１７）と連動する少なくとももう１つの偏心輪（２７）を設けることを特徴とする請求項１１に記載のレントゲン機器。
【請求項１３】
前記回転つまみ（１１）が、前記回転つまみ（１１）を１つの方向に回転運動させることによって前記額受け（９）を前記患者位置（１４）から離れさせるように調整可能であると同時に、前記揺動レバー（２０）が解錠可能であることを特徴とする請求項１２に記載のレントゲン機器。
【請求項１４】
前記偏心輪（２１、２７）は、前記回転つまみ（１１）を回すと、前記額受け（９）を前記患者位置（１４）から始まって先ず前記患者から離れた基本位置に移動させ、さらに前記回転つまみ（１１）を回すと前記揺動レバー（２０）の解錠を行うように前記シャフト（１８）に取付けられ、そのために前記偏心輪（２１、２７）がほぼ重複しない角度（α、β）を有することを特徴とする請求項１３に記載のレントゲン機器。
【請求項１５】
前記額受け（９）が、前記少なくとも１つのガイド手段（１７）内に挿入可能であり、そこで高さ調整可能に案内される少なくとも１本のロッド（１２）を含み、さらに別の額当て（１３）が前記ロッド（１２）と連結されることを特徴とする請求項１１乃至１４の一項に記載のレントゲン機器。
【請求項１６】
前記額受け（９）が、前記少なくとも１つのガイド手段（１７）内に挿入可能である少なくとも１本のロッド（１２）と、前記ロッド（１２）に対して高さ調整可能に案内される別の額当て（１３）とを備えることを特徴とする請求項１１乃至１５の一項に記載のレントゲン機器。
【請求項１７】
前記支持アーム（７）には、操作盤（７．３）用の別の揺動アーム（７．５）が取付けられることを特徴とする請求項１乃至１６の一項に記載のレントゲン機器。
【請求項１８】
前記別の揺動アーム（７．５）が前記旋回ヒンジ（８）に揺動可能に固定されることを特徴とする請求項３および１７に記載のレントゲン機器。
【請求項１９】
前記支持アーム（７）に把手（７．４）が取付けられることを特徴とする請求項１乃至１８の一項に記載のレントゲン機器。
【発明の詳細な説明】
【技術分野】
【０００１】
本発明は、支持体に取付けられた、額受けを有する患者位置決め機構を含む歯科用レントゲン機器に関する。
【背景技術】
【０００２】
ドイツ特許公開公報第３６２７５１０  Ａ１号明細書には、特に断層方式パノラマｘ線撮影を行うための歯科用レントゲン診断機器が開示されている。この装置は顎当てと、水平方向に調整可能に取付けられ、患者の頭部に位置合わせできる額受けとを含んでいる。あぶみ状の額受けの前部は患者の頭の額に当てることができ、患者の頭に合わせることができる。顎当ておよび額受けは、顎台と額受けとを高さ調整可能に、支持体によってキャリッジに揺動可能に固定されたハウジングに取付けられている。患者の視線は額を額受けに持たせ掛けるとキャリッジの方向にあるので、回転ユニットを患者の頭を中心に回転させることが可能である。
【０００３】
ドイツ特許公開公報第３６  ０９  ２６１  Ａ１号明細書には、患者の顎の断層方式パノラマｘ線撮影を行うための歯科用レントゲン機器が開示されている。支持体には額受けと、噛み合わせ部を有する額当て部分が取付けられている。患者の頭の位置決めの後、患者の視線はスタンドのキャリッジの方向にある。
【０００４】
ドイツ特許公開公報第１０１  ５３  ９７９  Ａ１号明細書には、ｘ線撮影を行うために移動システム用の可動支持構造を有する歯科用レントゲン機器が開示されている。患者の位置決めを行うため、水平の支持構造には把手とバイトブロック（開口器）とが備えられている。撮影中、支持構造が患者の頭の周囲を回転している間に患者の視線は支柱の方向にある。
【０００５】
前記の装置の欠点は、患者が支柱の方向を見て位置合わせされることである。
【０００６】
別の欠点は、前記位置決め装置は頭を動かす余地を僅かしか許容しないことである。
【特許文献１】ドイツ特許公開公報第３６２７５１０  Ａ１
【特許文献２】ドイツ特許公開公報第３６  ０９  ２６１  Ａ１
【特許文献３】ドイツ特許公開公報第１０１  ５３  ９７９  Ａ１
【発明の開示】
【発明が解決しようとする課題】
【０００７】
本発明の目的は、撮影中に位置変更せずに所望の範囲で患者の頭を位置決めし、オペレータにとって簡単で見易い位置決めを保証する、患者位置決め装置を有する歯科用レントゲン機器を提供することにある。
【課題を解決するための手段】
【０００８】
上記の目的は主クレーム第１項の特徴によって達成される。
【０００９】
本発明によって、額受けを有する、支持体に取付けられた患者位置決め装置を含む歯科用レントゲン機器が提案される。その際、支持体には水平に揺動可能な支持アームが取付けられ、支持アームには額受けが取付けられる。
【００１０】
それによって、患者が位置についた後、額受けによって患者の頭部を位置決めするために支持アームを患者に向かって水平に揺動させることができる。その際、患者の視線は機器から外側にある。
【００１１】
有利には、支持体は高さ調整自在であり、支持体にはｘ線放射装置と受像機を取付けることができる。
【００１２】
それによって、支持体はその高さ位置を患者の頭の大きさに適合させることができるので、ｘ線放射装置と受像機とを患者の撮影領域の周囲の水平面で回転させることができる。
【００１３】
有利には、支持アームは旋回ヒンジを具備しており、旋回ヒンジは支持体から離隔して患者の位置の近傍の側方に取付けられる。支持アームの揺動アームは撮影位置で円弧上に患者の周りを巡回し、患者の顎の領域で終端しており、入口位置では支持アームの少なくとも一部が患者位置から離れて配置されている。
【００１４】
それによって、患者は支持体に対して背中を向けて位置することができ、支持アームは患者の周りを円弧状に案内され、患者の顎で終端する。この位置決めは、オペレータが位置決めすべき患者の前面を自由に目視できるのでオペレータにとって楽になる。
【００１５】
有利には、支持アームにバイトブロックを取付けることができる。
【００１６】
それによって、額受けを補足する別の位置決め手段を利用できるので、より正確な位置決めが可能になる。
【００１７】
有利には、旋回ヒンジは係止手段を具備することができ、この係止手段は、揺動レバーが支持アームの撮影位置で摩擦結合するように揺動アームの旋回ヒンジと連動する。
【００１８】
それによって、支持アームは額受けと共に撮影位置に固定されるので、患者の頭の位置が撮影中に変わることがない。
【００１９】
有利には、揺動レバーはばね不勢され、支持アームは摩擦結合を解除するために解錠装置を具備することができる。
【００２０】
それによって、支持アームはｘ線撮影の後に解錠され、撮影位置から揺動可能であるため、患者は撮影機器から降りることができる。
【００２１】
有利には、解錠装置は、支持アームに端部に取付けられ、揺動レバー用の解錠部品に対する伝動手段を有する回転つまみを具備することができる。
【００２２】
それによって、回転つまみを操作して支持アームを便利に解錠することができる。
【００２３】
有利には、伝動手段はシャフトであり、解錠部品は偏心輪であることができる。シャフト上には補足的に、額受けを揺動させるために額受け用のガイド手段と連動する少なくとももう１つの偏心輪を設けることができる。
【００２４】
解錠部品として偏心輪を使用することは確実かつ簡単に実現する技術的解決方法であるため、保守および製造のコストが軽減される。
【００２５】
有利には、ガイド手段と連動するための偏心輪と、揺動レバーを解錠するための偏心輪とを共通のシャフト上に取付けることができる。
【００２６】
それによって、解錠を作動させる回転力を簡単かつ確実に伝達することができる。
【００２７】
有利には、回転つまみによって、これを同じ方向に回転運動させることによって額受けを患者位置から離れるように調整可能であると同時に揺動レバーを解錠可能である。
【００２８】
それによって、回転つまみで２つの機能が制御され、操作が簡単になる。
【００２９】
有利には、偏心輪は、回転つまみを回すと額受けを患者位置から始まって先ず患者から離れた基本位置に移動させ、さらに回すと揺動レバーの解錠がなされるようにシャフトに取付けられ、そのために偏心輪がほぼ重複しない角度を有している。
【００３０】
それによって、回転運動により先ず額受けが患者の額から遠ざかり、引き続き揺動レバーが解錠される。
【００３１】
有利には、額受けは、少なくとも１つのガイド手段内に挿入可能であり、そこで高さ調整自在に案内される少なくとも１本のロッドを含んでいる。さらに額当てをロッドと連結することができる。
【００３２】
それによって、額受けはロッドを個々に調整することによって、患者の頭の大きさに個々に適合させることができる。
【００３３】
有利には、額受けは、少なくとも１つのガイド手段内に挿入可能である少なくとも１本のロッドを含み、ロッドに対して高さ調整自在に案内される額当てを備えている。
【００３４】
それによって、額当てをロッドに対して高さ調整することにより、額受けを個々に患者の頭の大きさに適合させることができる。
有利には、支持アームに操作盤用の別の揺動アームが取付けられる。
【００３５】
それによって、操作盤と患者の位置決め装置がオペレータの視野内にあるので、目視方向を変えずに位置決めが可能である。
【００３６】
有利には、別の揺動アームを旋回ヒンジに揺動可能に固定することができる。
【００３７】
それによって、例えば別の位置決め周電または操作盤を取り付けることができる独立して揺動可能な別の揺動アームが備えられる。
【００３８】
有利には、支持アームに把手を取付けることができる。
【００３９】
それによって、患者は把手を掴むことができるので、患者はｘ線撮影中に所定位置に動かずに留まることができる。特に、患者が立っている場合は、把手で補足的に方向付けすることが有利である。
【発明を実施するための最良の形態】
【００４０】
本発明の実施例を図面で示す。
【００４１】
図１には、歯科用レントゲン機器が示されている。支柱１には軸１６に沿って高さ調整自在に支持体２が案内されている。支持体２には、片持ちビーム３が固定され、この片持ちビームには、固定されたｘ線射装置５と受像機６とを有する回転ユニット４が取付けられている。回転ユニット４は、ｘ線放射装置５と受像機６との間で患者の頭（図示せず）が少なくとも少しは円弧状に回ることができるように形成されている。
【００４２】
支持体２には、支持体２と共に高さ調整自在の支持アーム７が連結されている。支持アーム７は、支持アーム７を支持アームの固定部７．１と揺動アーム７．２とに区分する旋回ヒンジ８を具備している。揺動アーム７．２は旋回ヒンジ８を支点に患者（図示せず）の破線で示した入口位置に移動させることができ、そこでは揺動アームには７．２’の符号が付されている。旋回ヒンジ８は患者の側方の第１の側方領域Ｉに配置されているので、撮影位置では、揺動アーム７．２は患者を少なくとも部分的に囲む。
【００４３】
撮影中に患者を所定位置に固定するため、揺動アーム７．２には額受け１０と、好ましくはバイトブロック１０が取付けられている。支持アームの端部には、旋回ヒンジ８用のロックユニットの一部として回転つまみ１１があり、その機能は図４で詳細に説明する。
【００４４】
揺動アーム７．２は患者を囲み、中間領域ＩＩと第２の側方領域ＩＩＩとの間の回転つまみ１１で終端しているので、バイトブロック１０を中間領域ＩＩの撮影位置にある揺動アーム７．２に取付けることができる。
【００４５】
旋回ヒンジ８の下側には、オペレータによる歯科レントゲン機器の操作を可能にする操作盤７．３が配置されている。
【００４６】
さらに、バイトブロック１０の領域には揺動アーム７．２の下側に把手７．４が取付けられ、この把手はｘ線撮影中に患者を固定することができるので、バイトブロック１０による固定を補足して患者が固定される。
【００４７】
図２には図１の側面図が示されており、この図でも軸１６に沿って垂直に案内される支持体２を有する支柱１が図示されている。支持体２には回転ユニット４を有する片持ちビーム３が示され、示された図面には回転ユニット４に取付けられた受信機６が示され、この受信機はｘ線放射装置５（図１）と患者の頭、および額受け９とバイトブロック１０とを部分的に覆っている。回転ユニット４は、軸１６と平行に、かつ軸に対して間隔を置いた軸１５を支点に回転する。
【００４８】
一方、支持体２には旋回ヒンジ８と揺動アーム７．２とを有する支持アーム７が見て取れる。旋回ヒンジの下側には操作盤７．３が、また揺動アーム７．２には把手７．４が見て取れる。
【００４９】
図３には揺動アーム７．２の端部の額受け９とバイトブロック１０とが詳細に示されている。この図は、患者の視線から、すなわち軸１６から軸１５にｙ方向（図２）に見た図である。額受け９は互いに間隔を置いて揺動アーム７．２に取付けられた２本のロッド１２を含んでおり、それらの端部には額当て１３が備えられている。ロッド１２はガイド手段１７内に高さ調整自在に案内され、ガイド手段１７、およびこれと共にロッド１２と額当て１３も回転軸２２を支点に患者に向かって、かつ患者から離れるように矢印２３の方向に旋回することができる。旋回は回転つまみ１１を矢印２４の方向に操作することによって行われる。
【００５０】
図４には一方では旋回ヒンジ８が、他方では額受け９の回転が例示的に示されている。支持体の固定部７．１は旋回ヒンジ８まで延在しているので、支持体に対して間隔ｄｙが生ずる。旋回ヒンジ８が患者の位置１４および軸１５に対して側方に配置されているので、旋回ヒンジ８も間隔ｄｘを有している。
【００５１】
旋回ヒンジ８は、支持アーム部分７．１と固定連結され、揺動アーム７．２に取付けられた揺動レバー２０と連動する歯車１９を含んでいる。揺動アーム７．２は歯車１９と支持アーム部７．１との間に回転自在に支承されている。
【００５２】
揺動レバー２０はばね２６によって歯車１９内に押圧され、それによって、摩擦結合または形状結合が生ずる。揺動レバー２０は偏心輪２１を介してばね力２６に抗して歯車１９の歯から押し出され、それによって摩擦結合または形状結合が解除される。そのために偏心輪２１が、回転つまみ１１によって回されるシャフト１８に取付けられている。
【００５３】
揺動アーム７．２にはさらに額受け９が取付けられ、額当て１３を支持するロッド１２用の額受けのガイド手段１７は偏心輪２７とそれぞれ連動する。偏心輪２７はシャフト１８と回転不能に連結され、回転つまみ１１を介してシャフト１８が回転すると、ガイド手段１７はシャフト１８と平行な回転軸２２を支点に旋回する。回転軸は図６に示されている。
【００５４】
図５では、歯車１９と揺動レバー２０との連動が詳細に説明されている。支持アーム部７．１は固定連結された歯車１９を担持し、双方の間には揺動アーム７．２が配置され、支承されている。揺動アーム７．２にはさらに揺動レバー２０が回転自在に支承され、図示した位置では揺動レバー２０は歯車１９と嵌合し、その結果、摩擦結合または形状結合が生ずる。
【００５５】
図６には額受けの揺動機構が詳細に示されている。ガイド手段１７は軸２２を支点に回転自在に支承され、シャフト１８を固定連結された偏心輪２７の一端に当接する。回転つまみ（図示せず）によるシャフト１８の回転によって偏心輪２７が回転すると、偏心輪２７は矢印２３の方向に回転するので、ロッド１２は患者の方向、または患者から離れる方向に軸２２を支点に揺動する。これは、ガイド手段１７の接触面が偏心輪２７に案内されることによって行われる。ガイド手段１７の戻り運動は例えば戻りばね（図示せず）によって行われる。
【００５６】
図７には、図１の回転つまみ１１の回転角の分割が概略的に示されている。第１の角度領域αでは、図１の揺動アーム７．２の入口位置、すなわち揺動アーム７．２がほぼ開いた位置、または揺動アーム７．２がちょうど閉じた位置の中間位置Ｍから始まって、好ましくは患者の方向に回転つまみの回転によって、額受け９が図の位置から患者の方向に揺動し、額受け９が患者の頭部の額に当たる。角度領域αは、実際には極端な場合だけフルに利用される角度にされる。通常は、患者の額が所望の位置に固定されるには、角度領域α内での部分的な揺動だけで十分である。回転つまみ１１を反対方向に回すことによって、額受け９は垂直の最終位置まで揺動するまで患者から遠ざかる。  
【００５７】
第２の角度領域βは角度領域αと重複せずに続くが、その間の角度領域が存在することもできる。角度領域βを越えて揺動すると、図１の旋回ヒンジ８のロックが解除される。
【００５８】
回転つまみが再び角度領域β内に回転されると、図４の揺動レバー２０は図４のシャフト１８と連結された図４の偏心輪２１を介して係止位置から離脱し、旋回ヒンジ８が解放されるので、揺動アーム７．２は患者が機器から出入り可能であるように撮影位置から入口位置に揺動することができる。
【００５９】
したがって、回転つまみ１１の形態の図示した操作部材によって、額受け９の調整と同時に揺動アーム７．２の解錠も行うことができる。揺動アーム７．２を解錠する前に、さらに額受け９が患者から離れた基本位置に移動される。
【００６０】
図８には支持アーム７．１に揺動アーム７．２の他に操作盤７．３用の別の揺動アーム７．５を取付けることができることが示されている。その場合、別の揺動アーム７．５は旋回ヒンジ８に揺動可能に固定することができる。そのために、旋回ヒンジ８はそれぞれの揺動アームが取付けられる上部軸受３０と、下部軸受３１とを具備することができる。その際、額受け９用の揺動アーム７．２を操作盤用の揺動アーム７．５の上方に取付けることができる。
【００６１】
その上、例えば揺動アーム７．２が開いた場合に操作盤も患者の領域から遠ざかるように、揺動アーム７．２の揺動運動を操作盤用の揺動アーム７．５の揺動運動と結合することが可能である。これは例えば揺動アーム７．２の、または旋回ヒンジ内の簡単なカムによって行うことができる。
【００６２】
じっと静止していることが難しい患者をより良好に静止させるために、患者の頭部の周囲に当て、額受け９の適宜のフックに軽く引っ張って掛ける弾性バンド３２をさらに備えることができる。
【図面の簡単な説明】
【００６３】
【図１】揺動アームを有する歯科用レントゲン機器を示す斜視図である。
【図２】図１の歯科用レントゲン機器の側面図である。
【図３】揺動アームの端部の額受けおよびバイトブロックの図である。
【図４】旋回ヒンジおよび額受けの回転を示す図である。
【図５】歯車と揺動レバーとの連動の詳細図である。
【図６】額受けの揺動機構の詳細図である。
【図７】回転つまみの回転角の分割の概略図である。
【図８】支持アームに取付けた操作盤用の第２の揺動アームを示す図である。
【符号の説明】
【００６４】
１  支柱
２  支持体
３  片持ちビーム
４  回転ユニット
５  ｘ線放射装置
６  受像機
７  支持アーム
７．１  支持アーム部分
７．２  揺動アーム
７．２’入口位置の揺動アーム
７．３  操作盤
７．４  把手
７．５  揺動アーム
８  旋回ヒンジ
９  額受け
１０  バイトブロック
１１  回転つまみ
１２  ロッド
１３  額当て
１４  患者位置
１５  回転ユニット４の軸
１６  支持体２の軸
１７  ガイド手段
１８  シャフト
１９  歯車
２０  揺動レバー
２１  偏心輪
２２  回転軸
２３  矢印
２４  矢印
２５
２６  ばね
２７  偏心輪
３０  上部軸受
３１  下部軸受
Ｉ  第１の側方領域
ＩＩ  中間領域
ＩＩＩ  第２の側方領域
【図１】
0005401308.tif 000002
【図２】
0005401308.tif 000003
【図３】
0005401308.tif 000004
【図４】
0005401308.tif 000005
【図５】
0005401308.tif 000006
【図６】
0005401308.tif 000007
【図７】
0005401308.tif 000008
【図８】
0005401308.tif 000009